(57)【特許請求の範囲】
【請求項１】
家庭用薄葉紙が積層された薄葉紙積層体を内側の収納空間部に収納する容器本体を備える家庭用薄葉紙収納容器であって、
前記容器本体は、外筒と、当該外筒の内側に配置される一又は複数の筒状部材と、を備え、
前記筒状部材のうち最も内側に配される内筒の上面には、当該内筒の周縁より外側に突出した突出部を有するとともに、前記収納空間部に収納された家庭用薄葉紙を取り出すための取出口の形成された上面部材が備えられ、
前記外筒の下端部内面には、前記収納空間部に収納された薄葉紙積層体の下面を支持するための支持部材が備えられ、
前記内筒を除く他の筒状部材及び前記外筒の上縁部には、内側に突出した内係止部が備えられ、
前記筒状部材の下縁部には、前記内係止部と係止するために外側に突出した外係止部が備えられ、
前記容器本体は、前記収納空間部に収納された薄葉紙積層体の厚みに応じて前記一又は複数の筒状部材が前記外筒の内側をスライドすることにより、高さが変化するものであって、
前記一又は複数の筒状部材が上方にスライドした場合、前記内係止部と前記外係止部とが係止しあって伸張状態となり、
前記一又は複数の筒状部材が下方にスライドした場合、前記上面部材の前記突出部が前記一又は複数の筒状部材の上端部に引っ掛かって収縮状態となることを特徴とする家庭用薄葉紙収納容器。
【請求項２】
前記支持部材は、バネ板であることを特徴とする請求項１に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、鼻炎を患った際などに使用されるティシューなどの家庭用薄葉紙が積層された薄葉紙積層体を内部に収納する家庭用薄葉紙収納容器が知られている。
家庭用薄葉紙収納容器においては、内部に収納した薄葉紙積層体が使い終わると、新たな薄葉紙積層体を詰めて継続して使用可能なものが知られている。
一般に、このような家庭用薄葉紙収納容器は、上面に家庭用薄葉紙の取出口を備え、家庭用薄葉紙は、使用される際に取出口から一枚ずつ引き出されるようになっている。
そして、取出口からの取出し易さを向上させるべく、例えば、特許文献１には、ケース本体を伸縮性蛇腹により構成し、内容物（積層された家庭用薄葉紙）が減ってきたら伸縮性蛇腹を縮めることで、内容物が常に取出口に近い位置にくるようにした構成のケースが提案されている。また、特許文献２には、下面開放のケースの側壁部の下部に、ヒンジを介して支持片を設置し、その支持片をケースの内側に向けて水平より上側に曲げた状態としてケース内に収納する箱状物（市販の箱入りの家庭用薄葉紙）の側面を保持することで、箱状物の高さに因らず、当該箱状物を常にケースの上部寄りの位置に保持し、取出し易い仕様としたケースが提案されている。
【先行技術文献】
【特許文献】
【０００３】
【特許文献１】特開２０００−１６８８６０号公報
【特許文献２】特開２００７−２８９５９７号公報
【発明の概要】
【発明が解決しようとする課題】
【０００４】
しかしながら、特許文献１に記載のケースは、使用に際して、蓋を開けて内容物を入れ、蓋を閉めるといった一連の動作が必要であり、内容物を詰める作業が煩雑であった。
また、特許文献２に記載のケースは、当該ケースの上部寄りの位置に箱状物を保持するだけなので、その箱状物内の家庭用薄葉紙の残量が少なくなった場合、取出口と次の家庭用薄葉紙との間の距離が長くなり、家庭用薄葉紙を取出口から取り出した際に、次の家庭用薄葉紙の先端部が取出口から箱状物の内部に落ち込む等による取出し不具合が発生する場合があった。
【０００５】
本発明の課題は、取り出しの不具合が起こらず、内容物を詰める作業が簡易な家庭用薄葉紙収納容器を提供することである。
【課題を解決するための手段】
【０００６】
上記課題を解決するため、請求項１に記載の発明は、
家庭用薄葉紙が積層された薄葉紙積層体を内側の収納空間部に収納する容器本体を備える家庭用薄葉紙収納容器であって、
前記容器本体は、外筒と、当該外筒の内側に配置される一又は複数の筒状部材と、を備え、
前記筒状部材のうち最も内側に配される内筒の上面には、当該内筒の周縁より外側に突出した突出部を有するとともに、前記収納空間部に収納された家庭用薄葉紙を取り出すための取出口の形成された上面部材が備えられ、
前記外筒の下端部内面には、前記収納空間部に収納された薄葉紙積層体の下面を支持するための支持部材が備えられ、
前記内筒を除く他の筒状部材及び前記外筒の上縁部には、内側に突出した内係止部が備えられ、
前記筒状部材の下縁部には、前記内係止部と係止するために外側に突出した外係止部が備えられ、
前記容器本体は、前記収納空間部に収納された薄葉紙積層体の厚みに応じて前記一又は複数の筒状部材が前記外筒の内側をスライドすることにより、高さが変化するものであって、
前記一又は複数の筒状部材が上方にスライドした場合、前記内係止部と前記外係止部とが係止しあって伸張状態となり、
前記一又は複数の筒状部材が下方にスライドした場合、前記上面部材の前記突出部が前記一又は複数の筒状部材の上端部に引っ掛かって収縮状態となることを特徴とする。
【０００７】
また、請求項２に記載の発明は、請求項１に記載の家庭用薄葉紙収納容器において、
前記支持部材は、バネ板であることを特徴とする。
【発明の効果】
【０００８】
本発明によれば、容器本体は、外筒と、当該外筒の内側に配置される一又は複数の筒状部材と、を備え、外筒の下端部内面には、収納空間部に収納された薄葉紙積層体の下面を支持するための支持部材が備えられている。
このため、収納空間部に薄葉紙積層体を入れるために容器本体の一部を開閉する必要がなく、薄葉紙積層体を詰める作業を簡易にすることができる。
また、容器本体は、収納空間部に収納された薄葉紙積層体の厚みに応じて筒状部材がスライドすることにより、高さが変化する。
このため、家庭用薄葉紙の残量に応じて収納空間部の容積が変化するので、家庭用薄葉紙の残量に因らず取出口と家庭用薄葉紙とを近い位置に維持することができ、取り出しの不具合が生じるのを防止することができる。
【図面の簡単な説明】
【０００９】
【図１】本発明の家庭用薄葉紙収納容器を示す斜視図である。
【図２】図１の家庭用薄葉紙収納容器のＩＩ−ＩＩ線における断面図である。
【図３】図２の家庭用薄葉紙収納容器を潰した状態を示す断面図である。
【図４】図１の家庭用薄葉紙収納容器の底面図である。
【発明を実施するための形態】
【００１０】
以下、本発明の実施形態について図面を参照して説明する。ただし、発明の範囲は、図示例に限定されない。
【００１１】
本実施形態の家庭用薄葉紙収納容器１００は、図１〜図４に示すように、例えば、ティシューやウェットティシュー等の家庭用薄葉紙Ｐを積層した薄葉紙積層体２００を内側の収納空間部４０に収納する容器本体１を備えている。
【００１２】
ここで、薄葉紙積層体２００は、例えば、複数枚の家庭用薄葉紙Ｐが積層された詰替え用の薄葉紙積層体であって、容器本体１に形成された取出口１４ｂから家庭用薄葉紙Ｐを継続して取り出せるように交互に折り重ねられた状態で積層されている。即ち、家庭用薄葉紙Ｐを取出口１４ｂから容器本体１の外側へ引き出したときに、次の家庭用薄葉紙Ｐの上端が取出口１４ｂよりも突出する位置まで収納空間部４０から引き出されるようになっている。
なお、薄葉紙積層体２００を、包装体により内包することとしても良い。特に、家庭用薄葉紙Ｐがウェットティシューである場合には、薄葉紙積層体２００を防湿性の包装体により内包することが好ましい。
【００１３】
容器本体１は、例えば、ＰＰ（ポリプロピレン）等の熱可塑性樹脂を射出成形することにより製造される。
容器本体１は、外筒１３と、当該外筒１３の内側に配置される複数（ここでは２つ）の筒状部材である内筒１１及び中筒１２と、内筒１１の上面側の開口を塞ぐように備えられる上面部材１４と、外筒１３の下端部内面において内側に突出するように備えられた４つの板バネ１５ａ〜１５ｄと、等を備えて構成されている。
なお、内筒１１、中筒１２、外筒１３は、その高さが同一であり、平面視においては互いに相似の長方形状である。
容器本体１の上面部Ａは、上面部材１４により形成され、容器本体１の周面部Ｂは、内筒１１、中筒１２、及び外筒１３により形成され、容器本体１の底部Ｃは、外筒１３の下面側の開口により形成されている。
また、上面部Ａ及び周面部Ｂに囲まれた空間が、薄葉紙積層体２００を収納する収納空間部４０となっている。
容器本体１は、内筒１１が中筒１２の内側をスライドし、中筒１２が外筒１３の内側をスライドすることで周面部Ｂの高さが変化するようになっている。このため、家庭用薄葉紙Ｐの残量が少なくなった場合、当該残量に応じて容器本体１の周面部Ｂが動いて高さが低くなるので、容器本体１の内部において取出口１４ｂと家庭用薄葉紙Ｐとの距離が近いまま維持されるので、家庭用薄葉紙Ｐを取出口１４ｂから取出し易い状態に維持することができるようになっている。
【００１４】
具体的に、内筒１１は、筒状部材のうち最も内側に配置されている。
かかる内筒１１は、容器本体１を最も伸張させた伸張状態（即ち、容器本体１の容積を最大とした状態）では、容器本体１の周面部Ｂの上部を構成し、容器本体１を最も収縮させた収縮状態（即ち、容器本体１の容積を最小とした状態）では、外筒１３及び中筒１２の内側に位置するようになっている。
【００１５】
内筒１１の上面は開口であり、内筒１１の上面には、その開口を塞ぐように上面部材１４が備えられている。
上面部材１４は、内筒１１の周縁より僅かに外側に突出した突出部１４ａを有している。
この突出部１４ａは、容器本体１が収縮する際に、内筒１１が中筒１２の内側を下方にスライドした場合、中筒１２の上縁部に引っ掛かるようになっている。
また、上記の状態で中筒１２が外筒１３の内側を下方にスライドした場合、突出部１４ａは、外筒１３の上縁部に引っ掛かるようになっている。
【００１６】
また、内筒１１の下縁部には、中筒１２の上縁部に形成された内係止部１２ａ（後述）と係止しあうために外側に突出した外係止部１１ｂが備えられている。
この外係止部１１ｂは、容器本体１が伸張する際に、内筒１１が中筒１２の内側を上方にスライドした場合、内係止部１２ａに引っ掛かることで、内筒１１が中筒１２から抜けるのを防止するものである。
【００１７】
また、上面部材１４の略中央には、取出口１４ｂが形成されている。
取出口１４ｂは、容器本体１の内部の収納空間部４０に収納された家庭用薄葉紙Ｐを取り出すためのものであって、家庭用薄葉紙Ｐは、取出口１４ｂを通じて外部に取り出すことができるようになっている。
取出口１４ｂは、例えば、直径数ミリ〜数センチの細孔により形成される。なお、取出口１４ｂの大きさや形状に特に限定はなく、これ以外にも、例えば、直線状又は曲線状のスリット等で形成することもできる。
また、図示は省略するが、取出口１４ｂに、当該取出口１４ｂを覆う蓋体を備えることとしても良い。
【００１８】
中筒１２は、内筒１１の外側に配置されるとともに、外筒１３の内側に配置される。
かかる中筒１２は、伸張状態では、容器本体１の周面部Ｂの中間部を構成し、収縮状態では、外筒１３及び内筒１１の間に挟まれるようになっている。
【００１９】
中筒１２の上縁部には、内筒１１の下縁部に形成された外係止部１１ｂと係止しあうために、内側に突出した内係止部１２ａが備えられている。
内係止部１２ａは、容器本体１が伸張する際に、内筒１１が中筒１２の内側を上方にスライドした場合、内筒１１の下縁部に形成された外係止部１１ｂと係止しあって、内筒１１が中筒１２から抜けるのを防止するものである。
【００２０】
また、中筒１２の下縁部には、外筒１３の上縁部に形成された内係止部１３ａ（後述）と係止しあうために外側に突出した外係止部１２ｂが備えられている。
この外係止部１２ｂは、容器本体１が伸張する際に、中筒１２が外筒１３の内側を上方にスライドした場合、内係止部１３ａに引っ掛かることで、中筒１２が外筒１３から抜けるのを防止するものである。
【００２１】
外筒１３は、筒状部材（内筒１１、中筒１２）の外側に配置される。
かかる外筒１３は、伸張状態では、容器本体１の周面部Ｂの下部に位置し、収縮状態では、内筒１１及び中筒１２の外側に位置するようになっている。
【００２２】
また、外筒１３の上縁部には、中筒１２の下縁部に形成された外係止部１２ｂと係止しあうために、内側に突出した内係止部１３ａが備えられている。
内係止部１３ａは、容器本体１が伸張する際に、中筒１２が外筒１３の内側を上方にスライドした場合、中筒１２の下縁部に形成された外係止部１２ｂと係止しあって、中筒１２が外筒１３から抜けるのを防止するものである。
【００２３】
また、外筒１３の下面は開口であり、薄葉紙積層体２００を収納空間部４０に入れるための挿入口となっている。
外筒１３の下端部の内面には、角部が面取りされた略長方形の４つの板バネ１５ａ〜１５ｄが取り付けられている。
４つの板バネ１５ａ〜１５ｄは、それぞれ、底部Ｃである外筒１３の下面において四辺の略中央に配置され、容器本体１の収納空間部４０に収納された薄葉紙積層体２００が下方へ移動するのに対して抵抗する。
具体的に、薄葉紙積層体２００を容器本体１の下方から収納空間部４０に詰めた場合、板バネ１５ａ〜１５ｄの上面が、容器本体１の収納空間部４０に収納された薄葉紙積層体２００の下面に当接して薄葉紙積層体２００の重みに抗して上向きに付勢するため、薄葉紙積層体２００を好適に支持し、薄葉紙積層体２００は収納空間部４０に収納された状態を維持できる。
また、薄葉紙積層体２００を収納空間部４０に入れた当初、板バネ１５ａ〜１５ｄが薄葉紙積層体２００の重みにより下向きに撓んでいた場合、家庭用薄葉紙Ｐの使用に応じて薄葉紙積層体２００が軽くなるにつれて、薄葉紙積層体２００を徐々に上方へ押し上げることとなる。
このように、板バネ１５ａ〜１５ｄは、外筒１３の縁部から突出し、収納空間部４０に収納された薄葉紙積層体２００を下側から支持する支持部材として機能している。
【００２４】
次に、本実施形態の家庭用薄葉紙収納容器１００の作用について説明する。
使用者は、使用に際して、薄葉紙積層体２００を、家庭用薄葉紙収納容器１００の底部Ｃである外筒１３の下面開口から収納空間部４０に入れる。
すると、上面部材１４の下面が薄葉紙積層体２００の上面により上方に押され、また、内筒１１が中筒１２の内面をスライドし、中筒１２が外筒１３の内面をスライドして、周面部Ｂが伸張状態となる。即ち、薄葉紙積層体２００を詰める際に収納空間部４０の容積が大きくなる。
次に、薄葉紙積層体２００の全体が、収納空間部４０に入った状態で、板バネ１５ａ〜１５ｄの上面は薄葉紙積層体２００の下面と当接し、上方からの薄葉紙積層体２００の重みに抗して上向きに付勢し、薄葉紙積層体２００を支持した状態となる。なお、このとき、薄葉紙積層体２００の重みによっては、板バネ１５ａ〜１５ｄは下向きに撓むこともある。
この状態において、家庭用薄葉紙Ｐは、使用者により取出口１４ｂから一枚ずつ引き出されて使用される。
従って、本実施形態の家庭用薄葉紙収納容器１００では、容器本体１の一部を開閉する等の動作は必要なく、薄葉紙積層体２００を簡単に詰めることができる。
【００２５】
使用するにつれて薄葉紙積層体２００が薄くなっていくと、それに応じて内筒１１が中筒１２の内側を下方にスライドすることとなる。
なお、このとき使用するにつれて薄葉紙積層体２００が軽くなっていくと、薄葉紙積層体２００を収納空間部４０に入れた当初板バネ１５ａ〜１５ｄが下向きに撓んでいた場合には、薄葉紙積層体２００の軽量化に応じて、徐々に初期位置へ戻るため、薄葉紙積層体２００を上に押し上げることとなる。
そして、更に、薄葉紙積層体２００が薄くなると、上面部材１４の突出部１４ａが中筒１２の上端部に引っ掛かり、次に、中筒１２が外筒１３の内側を下方にスライドして、上面部材１４の突出部１４ａが外筒１３の上端部に引っ掛かって、容器本体１は収縮状態となる。即ち、家庭用薄葉紙Ｐを使用するにつれて、収納空間部４０の容積が小さくなる。
従って、本実施形態の家庭用薄葉紙収納容器１００では、家庭用薄葉紙Ｐの残量が少なくなった場合でも、取出口１４ｂと、収納空間部４０内の一番上の家庭用薄葉紙Ｐとを近接させることができるため、家庭用薄葉紙Ｐが取出口１４ｂから内部に落ち込むことがなく、取出しの不具合が発生することがない。
なお、全ての家庭用薄葉紙Ｐを使い終わった後には、上記と同様にして、使用者は、新たな薄葉紙積層体２００を底部Ｃから収納空間部４０に詰める。
【００２６】
以上のように、本実施形態の家庭用薄葉紙収納容器１００によれば、容器本体１は、外筒１３と、当該外筒１３の内側に配置される複数の筒状部材（内筒１１、中筒１２）と、を備え、外筒１３の下端部内面には、収納空間部４０に収納された薄葉紙積層体２００の下面を支持するための板バネ１５ａ〜１５ｄが備えられている。
このため、収納空間部４０に薄葉紙積層体２００を入れるために容器本体１の一部を開閉する必要がなく、薄葉紙積層体２００を詰める作業を簡易にすることができる。
また、容器本体１は、収納空間部４０に収納された薄葉紙積層体２００の厚みに応じて筒状部材（内筒１１、中筒１２）がスライドすることにより、高さが変化する。
このため、家庭用薄葉紙Ｐの残量に応じて収納空間部４０の容積が変化するので、家庭用薄葉紙Ｐの残量に因らず取出口１４ｂと家庭用薄葉紙Ｐとを近い位置に維持することができ、取り出しの不具合が生じるのを防止することができる。
【００２７】
なお、上記実施形態における家庭用薄葉紙収納容器１００の細部構成について、本発明お趣旨を逸脱しない範囲で適宜変更可能である。
例えば、上記実施形態においては、２つの筒状部材（内筒１１、中筒１２）により３段階に高さを変えることの可能な構成を例示して説明したが、少なくとも一の筒状部材（内筒１１）を備えていれば良く、中筒１２をなくして２段階に高さを変える構成とすることもできる。
或いは、２つ以上の中筒１２を備えることとして何段階にも高さを変えることの可能な構成とすることもできる。
【００２８】
また、板バネ１５ａ〜１５ｄは、薄葉紙積層体２００を支持できるものであれば良く、その数や形状に特に限定はない。
例えば、上記実施形態においては、１５ａ〜１５ｄが４つ設けられた構成を例示して説明したが、対向する２つの板バネ１５ａ、１５ｃ（又は１５ｂ、１５ｄ）のみを設けることとしても良いし、４つの板バネ１５ａ〜１５ｄの間に位置するように、さらに４つの板バネ（図示省略）を設けることとしても良い。
また、上記実施形態においては、板バネ１５ａ〜１５ｄが略長方形である構成を例示して説明したが、これ以外にも、板バネを、例えば、正方形、台形、四角形以外の多角形、或いは半円形などの形状とすることも可能である。
【符号の説明】
【００２９】
１  容器本体
Ａ  上面部
Ｂ  周面部
Ｃ  底部
１１  内筒（筒状部材）
１１ｂ  外係止部
１２  中筒（筒状部材）
１２ａ  内係止部
１２ｂ  外係止部
１３  外筒
１３ａ  内係止部
１４  上面部材
１４ａ  突出部
１４ｂ  取出口
１５ａ〜１５ｄ  板バネ
４０  収納空間部
１００  家庭用薄葉紙収納容器
２００  薄葉紙積層体
Ｐ  家庭用薄葉紙
【図１】
0005732268.tif 000002
【図２】
0005732268.tif 000003
【図３】
0005732268.tif 000004
【図４】
0005732268.tif 000005